(57)【特許請求の範囲】
【請求項１】
複数の設定項目毎に設定された動作条件を示す設定値をそれぞれ記憶する記憶部と、いずれかの前記設定項目について新たな動作条件が設定されたときに当該設定された動作条件を示す前記設定値を対応する当該設定項目に関連付けて前記記憶部に記憶させる設定値記憶処理を実行すると共に当該記憶部に記憶させた当該設定値に従って各部を制御する制御部と、当該制御部の制御に従って測定対象についての物理量を測定する測定部とを備えた測定装置であって、
前記制御部は、２つ以上の前記設定項目について新たな動作条件がそれぞれ設定されたときに、前記設定値記憶処理として、動作条件が設定された当該設定項目、および設定された各動作条件を示す前記設定値を特定可能な特定用情報を前記記憶部に記憶させる第１処理と、当該設定値記憶処理を実行中である旨を示す処理中情報を前記記憶部に記憶させる第２処理とを実行した後に、前記設定された各動作条件を示す前記設定値を対応する前記設定項目に関連付けて前記記憶部にそれぞれ記憶させる第３処理と、前記処理中情報を消去する第４処理とをこの順で実行すると共に、前記第１処理として、前記設定項目および前記設定値の組み合わせを示す識別コードを前記特定用情報として前記記憶部に記憶させるＡ処理と、前記設定項目および前記設定値そのものを前記特定用情報として前記記憶部に記憶させるＢ処理とのいずれか一方を予め規定された条件に従って選択して実行する測定装置。
【請求項２】
前記制御部は、前記第１処理に際して、前記識別コードのデータサイズが前記設定項目および前記設定値そのもののデータサイズよりも小さいときに前記Ａ処理を選択して実行し、前記識別コードのデータサイズが前記設定項目および前記設定値そのもののデータサイズ以上のときに前記Ｂ処理を選択して実行する請求項１記載の測定装置。
【請求項３】
前記制御部は、当該測定装置に電源が投入されたときに前記処理中情報が前記記憶部に記憶されているか否かを判別し、当該処理中情報が記憶されているときに、前記特定用情報に基づいて動作条件が設定された前記設定項目、および設定された各動作条件を示す前記設定値を特定し、特定した当該設定値を当該設定項目に関連付けて前記記憶部に記憶させる第５処理を実行する請求項１または２記載の測定装置。
【請求項４】
複数の設定項目毎に設定された動作条件を示す設定値が記憶部にそれぞれ記憶されると共に、当該記憶部に記憶されている当該設定値に従って測定対象についての物理量を測定する測定部を備えた測定装置において、いずれかの前記設定項目について新たな動作条件が設定されたときに当該設定された動作条件を示す前記設定値を対応する当該設定項目に関連付けて前記記憶部に記憶させる設定値記憶処理を実行する設定値記憶方法であって、
２つ以上の前記設定項目について新たな動作条件がそれぞれ設定されたときに、前記設定値記憶処理として、動作条件が設定された当該設定項目、および設定された各動作条件を示す前記設定値を特定可能な特定用情報を前記記憶部に記憶させる第１処理と、当該設定値記憶処理を実行中である旨を示す処理中情報を前記記憶部に記憶させる第２処理とを実行した後に、前記設定された各動作条件を示す前記設定値を対応する前記設定項目に関連付けて前記記憶部にそれぞれ記憶させる第３処理と、前記処理中情報を消去する第４処理とをこの順で実行すると共に、前記第１処理として、前記設定項目および前記設定値の組み合わせを示す識別コードを前記特定用情報として前記記憶部に記憶させるＡ処理と、前記設定項目および前記設定値そのものを前記特定用情報として前記記憶部に記憶させるＢ処理とのいずれか一方を予め規定された条件に従って選択して実行する設定値記憶方法。
【請求項５】
前記第１処理に際して、前記識別コードのデータサイズが前記設定項目および前記設定値そのもののデータサイズよりも小さいときに前記Ａ処理を選択して実行し、前記識別コードのデータサイズが前記設定項目および前記設定値そのもののデータサイズ以上のときに前記Ｂ処理を選択して実行する請求項４記載の設定値記憶方法。
【発明の詳細な説明】
【技術分野】
【０００１】
本発明は、設定された各動作条件を示す設定値を対応する設定項目に関連付けて記憶部に記憶させる測定装置および設定値記憶方法に関するものである。
【背景技術】
【０００２】
例えば、特開２００８−２９８５５３号公報には、予め設定された測定条件（動作条件）に従って測定処理を実行して測定結果を表示する構成の波形測定装置が開示されている。この波形測定装置による測定処理に際しては、まず、測定条件を設定する。具体的には、選択手段（ポインティングデバイス、操作パネルおよびタッチパネル等）を操作することにより、表示画面下端部のファンクションメニューに表示されている複数の設定項目のなかから、条件を設定する項目を選択する。この際には、表示処理部におけるダイアログ表示手段が、メニュー記憶部からダイアログの情報を読み出してダイアログメニューを表示画面に表示させる。次いで、選択手段を操作することにより、ダイアログメニューに表示されている複数の設定項目のなかから、条件を設定する項目を選択して任意の条件を選択（入力）する。
【０００３】
この場合、この波形測定装置では、条件の選択操作を行ったときに、設定モード（条件を選択するモード）から選択モード（条件を設定する項目を選択するモード）に切り替わる構成が採用されている。したがって、他の設定項目についての条件を設定する際には、選択手段を操作することにより、ダイアログメニューに表示されている複数の設定項目のなかから任意の項目を選択して条件を選択（入力）する。また、この種の装置では、電源の遮断によって動作条件を示す設定値が失われて、動作条件の設定作業を再び実行する必要が生じることを回避するために、動作条件の設定操作を完了したときに、設定された各条件を示す設定値が対応する設定項目に関連付けられて不揮発性の記憶部に記憶される構成が一般的に採用されている。これにより、設定作業が完了した際に、設定された各動作条件を示す設定値が、対応する設定項目に関連付けられて記憶部にそれぞれ記憶される。
【０００４】
一方、測定処理時には、ＡＤ変換器が、上記の設定作業によって記憶部に記憶された各設定値に従い、入力信号をデジタル信号（測定データ）に変換してメモリに格納する。次いで、データ処理部が、メモリから測定データを読み出すと共に、記憶部に記憶されている各設定値に従って測定データをデータ処理する。続いて、表示処理部が、記憶部に記憶されている各設定値に従ってデータ処理部によるデータ処理の結果を表示部の表示画面に表示させる。これにより、入力信号についての波形、解析結果および演算結果などの測定結果が表示部の表示画面に表示される。
【先行技術文献】
【特許文献】
【０００５】
【特許文献１】特開２００８−２９８５５３号公報（第４−７頁、第１−８図）
【発明の概要】
【発明が解決しようとする課題】
【０００６】
ところが、従来の波形測定装置には、以下の解決すべき問題点が存在する。すなわち、従来の波形測定装置では、ＡＤ変換器、データ処理部および表示処理部が、予め設定された動作条件（測定条件）に従って各種の処理を実行して測定結果を表示部に表示させる構成が採用されている。この場合、前述したように、この種の測定装置では、設定された各動作条件を示す設定値が対応する設定項目に関連付けられて不揮発性の記憶部に記憶される構成が採用されている。これにより、この種の測定装置では、所望の測定処理を実行するために必要な動作条件を各設定項目毎にそれぞれ設定する設定作業を一度行うだけで、例えば、電源を遮断した後に再投入した際に同じ設定作業を再び実行することなく、所望の測定処理を実行することが可能となっている。
【０００７】
しかしながら、この種の測定装置においては、例えば、所望の測定処理を実行するのに必要な複数の設定項目についての動作条件の設定完了後に、各動作条件の新たな設定値を記憶部に記憶させている最中に電源が遮断されたときに、記憶部に記憶されている各設定値のうちの一部が、前回の設定作業に際して記憶部に記憶された古い設定値のままとなってしまうことがある。具体的には、一例として、電圧値を測定する測定処理を行って測定結果を表示部に表示させるように設定されている状態において、電流値を測定する測定処理を行って測定結果を表示部に表示させるように複数の設定項目に関して新たな動作条件を設定した際に、設定した各動作条件を示す設定値を記憶部に記憶させている最中に電源が遮断されたときには、記憶部に記憶されている各設定値のうちの一部が電流値の測定を行うための動作条件を示す設定値となり、記憶部に記憶されている各設定値のうちの他の一部が電圧値の測定を行うための動作条件を示す設定値となることがある。
【０００８】
上記の例のように、電圧値の測定を行うための動作条件を示す設定値と、電流値の測定を行うための動作条件を示す設定値とが混在して記憶部に記憶された状態では、電圧値の測定処理および電流値の測定処理のいずれに関しても正常に実行することができないだけでなく、混在した設定値の組み合わせによっては、測定装置や測定対象の破損を招くおそれもある。したがって、設定作業の完了直後に利用者の意に反して電源が遮断されたときには、上記のような不都合が生じるのを回避するために、電源を再投入して一連の設定作業を再び実行する必要がある。しかしながら、電源遮断前に行った設定作業において動作条件を設定した設定項目が多数の場合には、いずれかの設定項目に関して動作条件を再設定するのを忘れて、電流値の測定を行う測定処理についての動作条件を示す設定値が記憶されているべきところ、その一部が電圧値の測定を行う測定処理についての動作条件を示す設定値のままとなってしまうことがあるという問題点が存在する。
【０００９】
また、設定作業の完了直後（設定操作の完了直後）に利用者が意図的に電源を遮断した場合には、記憶させるべき設定値の一部に関する記憶が完了していなかったとしても、利用者は、設定した動作条件を示す設定値のすべてが記憶部に正常に記憶されたものと認識している。このため、設定作業の完了直後に利用者が意図的に電源を遮断した場合には、上記のような不都合が生じるのを回避するのが困難であるという問題点もある。
【００１０】
本発明は、かかる問題点に鑑みてなされたものであり、動作条件の設定作業の完了直後に電源が遮断されたときに、測定装置を正常に動作させ得る動作条件を確実に再設定することが可能な測定装置および設定値記憶方法を提供することを主目的とする。
【課題を解決するための手段】
【００１１】
上記目的を達成すべく、請求項１記載の測定装置は、複数の設定項目毎に設定された動作条件を示す設定値をそれぞれ記憶する記憶部と、いずれかの前記設定項目について新たな動作条件が設定されたときに当該設定された動作条件を示す前記設定値を対応する当該設定項目に関連付けて前記記憶部に記憶させる設定値記憶処理を実行すると共に当該記憶部に記憶させた当該設定値に従って各部を制御する制御部と、当該制御部の制御に従って測定対象についての物理量を測定する測定部とを備えた測定装置であって、前記制御部は、２つ以上の前記設定項目について新たな動作条件がそれぞれ設定されたときに、前記設定値記憶処理として、動作条件が設定された当該設定項目、および設定された各動作条件を示す前記設定値を特定可能な特定用情報を前記記憶部に記憶させる第１処理と、当該設定値記憶処理を実行中である旨を示す処理中情報を前記記憶部に記憶させる第２処理とを実行した後に、前記設定された各動作条件を示す前記設定値を対応する前記設定項目に関連付けて前記記憶部にそれぞれ記憶させる第３処理と、前記処理中情報を消去する第４処理とをこの順で実行すると共に、前記第１処理として、前記設定項目および前記設定値の組み合わせを示す識別コードを前記特定用情報として前記記憶部に記憶させるＡ処理と、前記設定項目および前記設定値そのものを前記特定用情報として前記記憶部に記憶させるＢ処理とのいずれか一方を予め規定された条件に従って選択して実行する。
【００１２】
また、請求項２記載の測定装置は、請求項１記載の測定装置において、前記制御部は、前記第１処理に際して、前記識別コードのデータサイズが前記設定項目および前記設定値そのもののデータサイズよりも小さいときに前記Ａ処理を選択して実行し、前記識別コードのデータサイズが前記設定項目および前記設定値そのもののデータサイズ以上のときに前記Ｂ処理を選択して実行する。
【００１３】
さらに、請求項３記載の測定装置は、請求項１または２記載の測定装置において、前記制御部は、当該測定装置に電源が投入されたときに前記処理中情報が前記記憶部に記憶されているか否かを判別し、当該処理中情報が記憶されているときに、前記特定用情報に基づいて動作条件が設定された前記設定項目、および設定された各動作条件を示す前記設定値を特定し、特定した当該設定値を当該設定項目に関連付けて前記記憶部に記憶させる第５処理を実行する。
【００１４】
また、請求項４記載の設定値記憶方法は、複数の設定項目毎に設定された動作条件を示す設定値が記憶部にそれぞれ記憶されると共に、当該記憶部に記憶されている当該設定値に従って測定対象についての物理量を測定する測定部を備えた測定装置において、いずれかの前記設定項目について新たな動作条件が設定されたときに当該設定された動作条件を示す前記設定値を対応する当該設定項目に関連付けて前記記憶部に記憶させる設定値記憶処理を実行する設定値記憶方法であって、２つ以上の前記設定項目について新たな動作条件がそれぞれ設定されたときに、前記設定値記憶処理として、動作条件が設定された当該設定項目、および設定された各動作条件を示す前記設定値を特定可能な特定用情報を前記記憶部に記憶させる第１処理と、当該設定値記憶処理を実行中である旨を示す処理中情報を前記記憶部に記憶させる第２処理とを実行した後に、前記設定された各動作条件を示す前記設定値を対応する前記設定項目に関連付けて前記記憶部にそれぞれ記憶させる第３処理と、前記処理中情報を消去する第４処理とをこの順で実行すると共に、前記第１処理として、前記設定項目および前記設定値の組み合わせを示す識別コードを前記特定用情報として前記記憶部に記憶させるＡ処理と、前記設定項目および前記設定値そのものを前記特定用情報として前記記憶部に記憶させるＢ処理とのいずれか一方を予め規定された条件に従って選択して実行する。
【００１５】
さらに、請求項５記載の設定値記憶方法は、請求項４記載の設定値記憶方法において、前記第１処理に際して、前記識別コードのデータサイズが前記設定項目および前記設定値そのもののデータサイズよりも小さいときに前記Ａ処理を選択して実行し、前記識別コードのデータサイズが前記設定項目および前記設定値そのもののデータサイズ以上のときに前記Ｂ処理を選択して実行する。
【発明の効果】
【００１６】
請求項１記載の測定装置、および請求項４記載の設定値記憶方法では、２つ以上の設定項目について新たな動作条件がそれぞれ設定されたときに、動作条件が設定された設定項目、および設定された各動作条件を示す設定値を特定可能な特定用情報を記憶部に記憶させる第１処理と、設定値記憶処理を実行中である旨を示す処理中情報を記憶部に記憶させる第２処理とを実行した後に、設定された各動作条件を示す設定値を対応する設定項目に関連付けて記憶部にそれぞれ記憶させる第３処理と、処理中情報を消去する第４処理とをこの順で実行すると共に、第１処理として、設定項目および設定値の組み合わせを示す識別コードを特定用情報として記憶部に記憶させるＡ処理と、設定項目および設定値そのものを特定用情報として記憶部に記憶させるＢ処理とのいずれか一方を予め規定された条件に従って選択して実行する。
【００１７】
したがって、請求項１記載の測定装置、および請求項４記載の設定値記憶方法によれば、新たに設定された（変更された）動作条件を示す設定値を記憶部に記憶させている最中に測定装置の電源が遮断されたとしても、第２処理において記憶部に記憶させた処理中情報が消去されずに残っているため、設定値の記憶が正常に完了していないことを確実に検出することができると共に、第１処理としてのＡ処理またはＢ処理において記憶部に記憶させた特定用情報に基づき、記憶部に対する記憶処理を正常に完了することができなかった設定値およびその設定項目を容易に特定することができる。これにより、測定装置や測定対象の破損を招くことなく、測定装置を正常に動作させ得る動作条件を確実に再設定することができる。
【００１８】
また、請求項２記載の測定装置、および請求項５記載の設定値記憶方法によれば、第１処理に際して、識別コードのデータサイズが設定項目および設定値そのもののデータサイズよりも小さいときにＡ処理を選択して実行し、識別コードのデータサイズが設定項目および設定値そのもののデータサイズ以上のときにＢ処理を選択して実行することにより、記憶部に対する記憶処理を正常に完了することができなかった設定値およびその設定項目を特定するための情報として記憶させる特定用情報のデータサイズが小さいため、そのような情報を記憶させるために大きな記憶領域を必要としない分だけ、測定装置の製造コストを充分に低減することができると共に、第１処理の実行に要する時間を充分に短縮することができる。
【００１９】
さらに、請求項３記載の測定装置によれば、測定装置に電源が投入されたときに処理中情報が記憶部に記憶されているか否かを判別し、処理中情報が記憶されているときに、特定用情報に基づいて動作条件が設定された設定項目、および設定された各動作条件を示す設定値を特定し、特定した設定値を設定項目に関連付けて記憶部に記憶させる第５処理を実行することにより、この種の装置の操作に不慣れな利用者であっても、電源を再投入するだけで第５処理が実行されて、測定装置を正常に動作させ得る動作条件を確実かつ容易に設定させることができる。
【図面の簡単な説明】
【００２０】
【図１】測定装置１の構成図である。
【図２】測定装置１における記憶部６内に規定された各記憶領域Ａ１〜Ａ３について説明するための説明図である。
【図３】設定値記憶処理２０のフローチャートである。
【図４】設定値記憶処理２０におけるＡ記憶処理３０のフローチャートである。
【図５】設定値記憶処理２０におけるＢ記憶処理４０のフローチャートである。
【図６】設定値整合処理１０のフローチャートである。
【図７】設定項目および設定値（動作条件）の一例について説明するための説明図である。
【発明を実施するための形態】
【００２１】
以下、測定装置および設定値記憶方法の実施の形態について、添付図面を参照して説明する。
【００２２】
図１に示す測定装置１は、測定部２、操作部３、表示部４、制御部５および記憶部６を備えると共にメモリーカード７を装着可能に構成されて、測定部２による測定処理の結果を表示部４に表示させると共に、測定結果を示す測定データＤｓをメモリーカード７に記録させることができるように構成されている。測定部２は、「測定部」の一例であって、測定対象についての各種物理量（電気的パラメータ：一例として、電流値、電圧値、抵抗値および位相等）を測定可能に構成されている。具体的には、測定部２は、制御部５の制御に従い、入力信号ＳｉをＡ／Ｄ変換処理して測定データＤｓを生成すると共に、生成した測定データＤｓを制御部５に出力する。
【００２３】
操作部３は、測定部２による測定処理の条件（測定条件）や表示部４による測定結果の表示条件などの各種動作条件の設定操作を行うための操作スイッチを備え、スイッチ操作に応じた操作信号を制御部５に出力する。表示部４は、制御部５の制御に従い、測定装置１の動作条件を設定するための動作条件設定画面や、測定部２による測定処理の結果を表示するための測定結果表示画面（いずれも図示せず）などを表示する。なお、表示部４を備えた測定装置１を例に挙げて説明するが、外部装置としての表示装置に上記の各種表示画面を表示させる構成を採用することもできる。
【００２４】
制御部５は、「制御部」に相当し、測定装置１を総括的に制御する。具体的には、制御部５は、後述するように測定装置１の動作条件を設定する作業が行われたときに、図３に示す設定値記憶処理２０を実行して、設定された動作条件を示す設定値ｄからなる動作条件設定値データＤ０を記憶部６に記憶させる。また、制御部５は、記憶部６に記憶させた動作条件設定値データＤ０に従い、測定部２を制御して測定処理を実行させると共に、測定部２から出力された測定データＤｓをメモリーカード７に記憶させる。さらに、制御部５は、記憶部６に記憶させた動作条件設定値データＤ０に従い、表示部４を制御して測定データＤｓに基づく測定結果（測定結果表示画面）を表示させる。また、制御部５は、測定装置１に電源が投入されたときに、図６に示す設定値整合処理１０を実行して、上記の設定値記憶処理２０による動作条件設定値データＤ０の記憶処理中に測定装置１の電源が遮断されたときなど（動作条件設定値データＤ０が不完全な状態で記憶部６に記憶されているとき）に、正常な動作条件設定値データＤ０を記憶部６に記憶させる。
【００２５】
記憶部６は、「記憶部」の一例であって、フラッシュメモリ等の不揮発性メモリで構成されて、制御部５の制御に従い、動作条件設定値データＤ０や変更後設定値特定データＤ１などを記憶する。この場合、図２に示すように、記憶部６には、フラグ記憶領域Ａ１、変更中設定値特定情報記憶領域Ａ２および動作条件設定値データ記憶領域Ａ３などの各種の記憶領域が設けられている。なお、各領域に記憶されるデータの内容や情報が記憶されるタイミングについては、後に詳細に説明する。一方、メモリーカード７は、測定データＤｓ等を記憶可能に構成されている。なお、メモリーカード７に代えて、ハードディスクドライブ（ハードディスク）、光ディスクドライブ（光ディスク）および光磁気ディスクドライブ（光磁気ディスク）などの各種の情報記録媒体に測定データＤｓ等を記録させる構成を採用することができる。
【００２６】
この測定装置１によって入力信号Ｓｉについての測定処理を実行する際には、まず、測定条件や測定結果の表示条件などの動作条件を設定する。なお、測定装置１による「設定値記憶方法」についての理解を容易とするために、既に、以下に説明する動作条件の設定作業が行われて、正常に動作し得る動作条件設定値データＤ０が記憶部６に記憶されているものとする。具体的には、一例として、「測定モード：電圧」、「測定レンジ：ア」、「フィルタ処理の種類：あ」・・「測定結果の表示態様：グラフ」および「測定結果の表示色：白色」などの動作条件（図７に示す例における「識別コード：A01011110201111...」の行に示す設定値の条件）が既に設定されて、そのような動作条件を示す設定値ｄからなる動作条件設定値データＤ０が記憶部６に記憶されているものとする。
【００２７】
また、実際の測定装置１では、「測定モード」、「測定レンジ」、「フィルタ処理の種類」、「測定結果の表示態様」および「測定結果の表示色」等の設定項目の他にもさらに多数の設定項目が存在し、これらの各設定項目についても任意の条件を設定して動作させることができるが、理解を容易とするために、上記に例示した設定項目以外の設定項目に関する図示および説明を省略する。さらに、「測定モード」や「測定レンジ」の設定値に関し、理解を容易とするために、「ア」および「あ」や、後述する「イ」、「い」、「Ａ」および「ａ」等の単純な文字列でこれを表しているが、実際には、各動作条件（設定値）に対応付けられたコードなどが設定値ｄとして動作条件設定値データＤ０に記憶されている。同様にして、「測定モード」、「測定結果の表示態様」および「測定結果の表示色」等の設定項目に関しても、設定された条件を示すコードなどが設定値ｄとして記録されている。
【００２８】
上記の例示のような動作条件が設定されている状態において、例えば、「測定モード：電流」、「測定レンジ：Ｂ」、「フィルタ処理の種類：ａ」・・「測定結果の表示態様：数値」および「測定結果の表示色：赤色」などの動作条件（図７に示す例における「識別コード：B02011110201111...」の行に示す設定値の条件）を新たに設定する際には、操作部３を制御することにより、動作条件設定画面を表示部４に表示させる（図示せず）。この際に、制御部５は、記憶部６の動作条件設定値データ記憶領域Ａ３から動作条件設定値データＤ０を読み出し、その時点において設定されている動作条件（この例では、「電圧」、「ア」、「あ」・・「グラフ」および「白色」等の動作条件）を対応する設定項目の表示部位に表示させる。したがって、利用者は、操作部３を操作することにより、上記の動作条件を任意の動作条件（この例では、「電流」、「Ｂ」、「ａ」・・「数値」および「赤色」等の動作条件）に変更する。
【００２９】
次いで、操作部３の確定スイッチ（図示せず）が操作されたときに（「２つ以上の設定項目について新たな動作条件がそれぞれ設定されたとき」の一例）に、制御部５は、図３に示す設定値記憶処理２０を開始する。この設定値記憶処理２０では、制御部５は、まず、変更された設定値（新たに設定された設定値）の数が１つであるか否かを判別する（ステップ２１）。この際に、本例とは相違するが、例えば、「測定結果の表示色」との設定項目を「白色」から「黄色」に変更しただけの状態で確定スイッチが操作されたときには、制御部５は、変更された設定値が１つだけであると判別し、その設定値ｄを動作条件設定値データ記憶領域Ａ３内の変更後設定値特定データＤ１における対応する部位に上書きして（設定値の記憶:ステップ２２）、この設定値記憶処理２０を終了する。
【００３０】
一方、２つ以上の設定項目を変更した本例では、制御部５は、変更された「電流」、「Ｂ」、「ａ」・・「数値」および「赤色」等の設定値（実際には、コード列）を各設定項目に対応付けて記憶部６に記憶させるのに要する合計データサイズ（「動作条件が設定された設定項目、および設定された各動作条件を示す設定値そのもののデータサイズ」の一例）を特定する（ステップ２３）。次いで、制御部５は、特定した合計データサイズと、各種の設定値の組み合わせを識別可能に予め付与された識別コード（「動作条件が設定された設定項目、および設定された各動作条件を示す設定値を特定可能な特定用情報」の一例：図７参照）のデータサイズとを比較する（ステップ２４）。この際には、識別コード（図７参照）のデータサイズが、ステップ２３で特定した合計データサイズよりも小さいと判別して、制御部５は、図４に示すＡ記憶処理３０を開始する。
【００３１】
このＡ記憶処理３０では、制御部５は、まず、上記の識別コード（この例では、「B02011110201111...」とのコード）を変更後設定値特定データＤ１として記憶部６の変更中設定値特定情報記憶領域Ａ２に記憶させる（「第１処理」としての「Ａ処理」の一例：ステップ３１）。次いで、制御部５は、変更処理中フラグＡ（「設定値記憶処理を実行中である旨を示す処理中情報」の一例）を記憶部６のフラグ記憶領域Ａ１に記憶させる（フラグのセット：「第２処理」の一例：ステップ３２）。
【００３２】
続いて、制御部５は、上記の設定操作によって変更された（設定された）各設定項目の設定値ｄを記憶部６の動作条件設定値データ記憶領域Ａ３に記憶されている変更後設定値特定データＤ１における対応する設定項目の記録部位に上書きする（変更後の設定値の記憶：「第３処理」の一例：ステップ３３）。この後、両設定値ｄの記憶が完了したときに、制御部５は、フラグ記憶領域Ａ１に記憶させた変更処理中フラグＡを消去して（「第４処理」の一例：ステップ３４）、このＡ記憶処理３０を終了する。これにより、設定値記憶処理２０が終了し、設定値記憶処理２０の開始に先立って実施された動作条件の設定作業によって新たに設定された動作条件を示す設定値ｄが記憶部６の動作条件設定値データ記憶領域Ａ３に記憶された状態となる。この状態において、例えば、操作部３の測定開始スイッチが操作されたときには、制御部５は、記憶部６に記憶されている動作条件設定値データＤ０に従い、測定部２を制御して測定処理を実行させると共に、表示部４を制御して測定結果を表示させ、かつメモリーカード７に測定データＤｓを記憶させる。
【００３３】
また、上記の例とは相違し、例えば、「電圧」、「ア」、「あ」・・「グラフ」および「白色」などの動作条件が設定されている状態において、「測定レンジ」および「フィルタ処理の種類」の２つの設定項目について「イ」および「い」との動作条件が設定された後に、操作部３の確定スイッチ（図示せず）が操作されて設定値記憶処理２０を開始したときには、制御部５は、識別コード（この例では、図７に示す「A02010000000000...」との識別コード）のデータサイズが、上記のステップ２３において特定した合計データサイズ以上であると判別し（ステップ２４）、図５に示すＢ記憶処理４０を開始する。
【００３４】
このＢ記憶処理４０では、制御部５は、まず、設定された設定値ｄ（この例では、「イ」および「い」との設定値のコード）を対応する設定項目（この例では、「測定レンジ」および「フィルタ処理の種類」の２つの設定項目）に関連付けて記憶部６の変更中設定値特定情報記憶領域Ａ２に記憶させる（「第１処理」としての「Ｂ処理」の一例：ステップ４１）。次いで、制御部５は、変更処理中フラグＢ（「設定値記憶処理を実行中である旨を示す処理中情報」の他の一例）を記憶部６のフラグ記憶領域Ａ１に記憶させる（フラグのセット：「第２処理」の他の一例：ステップ４２）。
【００３５】
続いて、制御部５は、上記の設定操作によって変更された（設定された）各設定項目の設定値ｄを記憶部６の動作条件設定値データ記憶領域Ａ３に記憶されている変更後設定値特定データＤ１における対応する設定項目の記録部位に上書きする（変更後の設定値の記憶：「第３処理」の他の一例：ステップ４３）。この後、両設定値ｄの記憶が完了したときに、制御部５は、フラグ記憶領域Ａ１に記憶させた変更処理中フラグＢを消去して（「第４処理」の他の一例：ステップ４４）、このＢ記憶処理４０を終了する。これにより、設定値記憶処理２０が終了し、設定値記憶処理２０の開始に先立って実施された動作条件の設定作業によって新たに設定された動作条件を示す設定値ｄが記憶部６の動作条件設定値データ記憶領域Ａ３に記憶された状態となる。この状態において、例えば、操作部３の測定開始スイッチが操作されたときには、制御部５は、記憶部６に記憶されている動作条件設定値データＤ０に従い、測定部２を制御して測定処理を実行させると共に、表示部４を制御して測定結果を表示させ、かつメモリーカード７に測定データＤｓを記憶させる。
【００３６】
この場合、前述したＡ記憶処理３０におけるステップ３３の処理やＢ記憶処理４０におけるステップ４３の処理（第３処理）を完了する以前に測定装置１の電源が遮断されたときには、設定値記憶処理２０の開始に先立って実施された動作条件の設定作業によって設定された新たな動作条件を示す設定値ｄ（変更後設定値特定データＤ１）が記憶部６の動作条件設定値データ記憶領域Ａ３に記憶されずに、前回の設定作業によって設定された動作条件を示す設定値ｄが動作条件設定値データ記憶領域Ａ３に記憶された状態となっている。このため、この測定装置１では、電源が投入されたときに、上記のＡ記憶処理３０やＢ記憶処理４０を正常に終了することなく電源が遮断されたか否か、すなわち、記憶部６の動作条件設定値データ記憶領域Ａ３に正常な変更後設定値特定データＤ１が記憶されているか否かを確認するために、図６に示す設定値整合処理１０を実行する。
【００３７】
この設定値整合処理１０では、制御部５は、まず、記憶部６のフラグ記憶領域Ａ１に変更処理中フラグＡが記憶されているか否かを確認する（ステップ１１）。この際に、Ａ記憶処理３０のステップ３３を正常に終了したとき（すなわち、記憶部６の動作条件設定値データ記憶領域Ａ３に正常な変更後設定値特定データＤ１が記憶された状態となったとき）には、その後のステップ３４において変更処理中フラグＡが消去されてフラグ記憶領域Ａ１に変更処理中フラグＡが存在しない状態となる。また、Ａ記憶処理３０が実行されることなくＢ記憶処理４０が実行されたときにも、フラグ記憶領域Ａ１に変更処理中フラグＡが存在しない状態となる。このような状態においては、制御部５は、変更処理中フラグＡが記憶されていないと判別し、フラグ記憶領域Ａ１に変更処理中フラグＢが記憶されているかを確認する（ステップ１２）。
【００３８】
この際に、Ｂ記憶処理４０のステップ４３を正常に終了したとき（すなわち、記憶部６の動作条件設定値データ記憶領域Ａ３に正常な変更後設定値特定データＤ１が記憶された状態となったとき）には、その後のステップ４４において変更処理中フラグＢが消去されてフラグ記憶領域Ａ１に変更処理中フラグＢが存在しない状態となる。このような状態においては、制御部５は、変更処理中フラグＢが記憶されていないと判別し、この設定値整合処理１０を終了して、他の電源投入時処理を実施する。
【００３９】
一方、例えば、Ａ記憶処理３０のステップ３３の処理を実行している最中に測定装置１の電源が遮断されたとき（記憶部６の動作条件設定値データ記憶領域Ａ３に各種の設定値ｄが混在した変更後設定値特定データＤ１が記憶された状態となったとき）には、その後のステップ３４の処理が実行されていないことで、フラグ記憶領域Ａ１に変更処理中フラグＡが存在したままとなる。したがって、制御部５は、フラグ記憶領域Ａ１に変更処理中フラグＡが存在するときに（ステップ１１）、変更中設定値特定情報記憶領域Ａ２から変更後設定値特定データＤ１を読み出す（ステップ１３）。次いで、制御部５は、読み出した変更後設定値特定データＤ１に基づき、記憶部６の動作条件設定値データ記憶領域Ａ３に記憶させるべき設定値ｄと、その設定値ｄの設定項目とをそれぞれ特定する（ステップ１４）。
【００４０】
この際には、一例として、「識別コード：B02011110201111...」との変更後設定値特定データＤ１に基づき、「測定モード：電流」、「測定レンジ：Ｂ」、「フィルタ処理の種類：ａ」・・「測定結果の表示態様：数値」および「測定結果の表示色：赤色」などの動作条件およびその設定項目が特定される。次いで、制御部５は、特定した設定値ｄを対応する設定項目に関連付けて記憶部６の動作条件設定値データ記憶領域Ａ３に記憶されている変更後設定値特定データＤ１に上書きする（設定値の記憶：ステップ１５）。なお、この例では、上記のステップ１４，１５の両処理が「第５処理」に相当する。この後、制御部５は、フラグ記憶領域Ａ１に記憶されている変更処理中フラグＡを消去して（ステップ１６）、この設定値整合処理１０を終了する。これにより、電源の遮断によって記憶部６への記憶が不完全であった一連の設定値ｄが記憶部６の動作条件設定値データ記憶領域Ａ３に記憶された状態となる。
【００４１】
また、例えば、Ｂ記憶処理４０のステップ４３の処理を実行している最中に測定装置１の電源が遮断されたとき（記憶部６の動作条件設定値データ記憶領域Ａ３に各種の設定値ｄが混在した変更後設定値特定データＤ１が記憶された状態となったとき）には、その後のステップ４４の処理が実行されていないことで、フラグ記憶領域Ａ１に変更処理中フラグＢが存在したままとなる。したがって、制御部５は、フラグ記憶領域Ａ１に変更処理中フラグＢが存在するときに（ステップ１２）、変更中設定値特定情報記憶領域Ａ２に記憶されている設定値ｄおよびその設定項目に関する情報を読み出す（ステップ１７）。この際には、一例として、「測定レンジ：イ」および「フィルタ処理の種類：い」との設定値ｄおよびその設定項目が読み出される。
【００４２】
次いで、制御部５は、読み出した設定値ｄを対応する設定項目に関連付けて記憶部６の動作条件設定値データ記憶領域Ａ３に記憶されている変更後設定値特定データＤ１に上書きする（設定値の記憶：ステップ１８）。なお、この例では、上記のステップ１７，１８の両処理が「第５処理」に相当する。この後、制御部５は、フラグ記憶領域Ａ１に記憶されている変更処理中フラグＢを消去して（ステップ１９）、この設定値整合処理１０を終了する。これにより、電源の遮断によって記憶部６への記憶が不完全であった一連の設定値ｄが記憶部６の動作条件設定値データ記憶領域Ａ３に記憶された状態となる。
【００４３】
このように、この測定装置１、および測定装置１による設定値記憶方法では、２つ以上の設定項目について新たな動作条件がそれぞれ設定されたときに、動作条件が設定された設定項目、および設定された各動作条件を示す設定値を特定可能な「特定用情報」を記憶部６に記憶させる「第１処理」と、設定値記憶処理２０を実行中である旨を示す「処理中情報（本例では、「変更処理中フラグＡ，Ｂ」のいずれか）」を記憶部６に記憶させる「第２処理（Ａ記憶処理３０におけるステップ３２、およびＢ記憶処理４０におけるステップ４２）」とを実行した後に、設定された各動作条件を示す設定値を対応する設定項目に関連付けて記憶部６にそれぞれ記憶させる「第３処理（Ａ記憶処理３０におけるステップ３３、およびＢ記憶処理４０におけるステップ４３）」と、「処理中情報」を消去する「第４処理（Ａ記憶処理３０におけるステップ３４、およびＢ記憶処理４０におけるステップ４４）」とをこの順で実行すると共に、「第１処理」として、動作条件が設定された設定項目、および設定された各動作条件を示す設定値の組み合わせを示す「識別コード（本例では、変更後設定値特定データＤ１）を「特定用情報」として記憶部６に記憶させる「Ａ処理（Ａ記憶処理３０におけるステップ３１）」と、動作条件が設定された設定項目、および設定された各動作条件を示す設定値そのものを「特定用情報」として記憶部６に記憶させる「Ｂ処理（Ｂ記憶処理４０におけるステップ４１）」とのいずれか一方を予め規定された条件に従って選択して実行する。
【００４４】
したがって、この測定装置１、および測定装置１による設定値記憶方法によれば、新たに設定された（変更された）動作条件を示す設定値ｄを記憶部６に記憶させている最中に測定装置１の電源が遮断されたとしても、Ａ記憶処理３０におけるステップ３２やＢ記憶処理４０におけるステップ４２において記憶部６に記憶させた変更処理中フラグＡ，Ｂのいずれかが消去されずに残っているため、設定値ｄの記憶が正常に完了していないことを確実に検出することができると共に、Ａ記憶処理３０におけるステップ３１において記憶部６の変更中設定値特定情報記憶領域Ａ２に記憶させた変更後設定値特定データＤ１（識別コード）や、Ｂ記憶処理４０におけるステップ４１において記憶部６の変更中設定値特定情報記憶領域Ａ２に記憶させた設定値ｄおよびその設定項目に関する情報に基づき、記憶部６に対する記憶処理を正常に完了することができなかった設定値ｄおよびその設定項目を容易に特定することができる。これにより、測定装置１や測定対象の破損を招くことなく、測定装置１を正常に動作させ得る動作条件を確実に再設定することができる。
【００４５】
また、この測定装置１、および測定装置１による設定値記憶方法によれば、「第１処理」に際して、変更後設定値特定データＤ１のデータサイズが設定項目および設定値そのもののデータサイズよりも小さいときにＡ記憶処理３０（ステップ３１）を選択して実行し、変更後設定値特定データＤ１のデータサイズが設定項目および設定値そのもののデータサイズ以上のときにＢ記憶処理４０（ステップ４１）を選択して実行することにより、記憶部６に対する記憶処理を正常に完了することができなかった設定値ｄおよびその設定項目を特定するための情報として記憶させる「特定用情報」のデータサイズが小さいため、そのような情報を記憶させるために大きな記憶領域を必要としない分だけ、測定装置１の製造コストを充分に低減することができると共に、「第１処理」の実行に要する時間を充分に短縮することができる。
【００４６】
さらに、この測定装置１によれば、測定装置１に電源が投入されたときに上記の「処理中情報」が記憶部６に記憶されているか否かを判別し、「処理中情報」が記憶されているときに、上記の「特定用情報」に基づいて動作条件が設定された設定項目、および設定された各動作条件を示す設定値を特定し、特定した設定値を設定項目に関連付けて記憶部６に記憶させる「第５処理（設定値整合処理１０におけるステップ１４，１８のいずれか）を実行することにより、この種の装置の操作に不慣れな利用者であっても、電源を再投入するだけで設定値整合処理１０が実行されて、測定装置１を正常に動作させ得る動作条件を確実かつ容易に設定させることができる。
【００４７】
なお、「測定装置」の構成、および「設定値記憶方法」の具体的な手順は、上記の測定装置１の構成、およびその設定値記憶方法の例に限定されない。例えば、識別コードのデータサイズが、設定項目および設定値そのものの合計データサイズよりも小さいときにＡ記憶処理３０を選択して実行し、識別コードのデータサイズが設定項目および設定値そのものの合計データサイズ以上のときにＢ記憶処理４０を選択して実行する例について説明したが、例えば、上記の例における各識別コードの組み合わせ毎に、Ａ記憶処理３０およびＢ記憶処理４０のいずれを実行するかを予め定めて記録した判別用データを生成しておき、合計データサイズの特定（設定値記憶処理２０におけるステップ２３）や、データサイズの比較（ステップ２４）の処理を行うことなく、操作部３の確定スイッチが操作される以前の設定作業で新たに設定された設定項目、およびその設定値ｄの組み合わせに応じて、Ａ記憶処理３０およびＢ記憶処理４０のいずれを実行するかを判別用データに基づいて選択して実行する構成・方法を採用することもできる。このような構成・方法を採用した場合においても、上記の測定装置１、およびその設定値記憶方法によって奏される効果と同様の効果を奏することができる。
【００４８】
また、Ａ記憶処理３０におけるステップ３３の処理やＢ記憶処理４０におけるステップ４３の処理を完了する以前（ステップ３４，４４の処理を実行する以前）に電源が遮断されたときに、その後の電源投入時に制御部５が設定値整合処理１０を実行して、記憶部６に正常な変更後設定値特定データＤ１（設定値ｄ）を記憶させる構成を例に挙げて説明したが、設定値整合処理１０のような処理に代えて、どのような設定項目のどのような設定値ｄが正常に記憶されていないかを報知する（一例として、表示部４に表示させる）ことで、利用者に対して、動作条件の設定作業を再び実行させる構成を採用することもできる。さらに、「測定対象についての物理量」として、電流値、電圧値、抵抗値および位相等）を測定可能に構成した測定装置１を例に挙げて説明したが、これらの物理量に代えて（または、これらの物理量に加えて）温度、湿度、輝度（光度）および照度等の各種の「物理量」を測定する構成を採用することもできる。
【符号の説明】
【００４９】
１  測定装置
２  測定部
３  操作部
４  表示部
５  制御部
６  記憶部
７  メモリーカード
１０  設定値整合処理
２０  設定値記憶処理
３０  Ａ記憶処理
４０  Ｂ記憶処理
Ａ１  フラグ記憶領域
Ａ２  変更中設定値特定情報記憶領域
Ａ３  動作条件設定値データ記憶領域
ｄ  設定値
Ｄ０  動作条件設定値データ
Ｄ１  変更後設定値特定データ
Ｄｓ  測定データ
Ｓｉ  入力信号
【図１】
0005893504.tif 000002
【図２】
0005893504.tif 000003
【図３】
0005893504.tif 000004
【図４】
0005893504.tif 000005
【図５】
0005893504.tif 000006
【図６】
0005893504.tif 000007
【図７】
0005893504.tif 000008